【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
揺れ検出データから歩行のピッチを取得する取得部と、
前記取得部により取得されたピッチと、過去の揺れ検出データに基づいて算出された通常歩行時のピッチと、の差異に基づいて混雑度を判定する混雑判定部と、
を備える、情報処理装置。
【請求項２】
前記混雑判定部は、前記通常歩行時のピッチの分布と前記取得部により取得されたピッチとの差異に基づいて混雑度を判定する、請求項１に記載の情報処理装置。
【請求項３】
前記混雑判定部は、前記取得部により取得されたピッチと前記通常歩行時のピッチとの差異量に基づいて混雑度を判定する、請求項１に記載の情報処理装置。
【請求項４】
前記取得部は、さらに前記揺れ検出データの振幅を取得し、
前記混雑判定部は、前記取得部により取得された振幅と、前記過去の揺れ検出データに基づいて算出された通常歩行時の振幅と、の差異にさらに基づいて混雑度を判定する、請求項１〜３のいずれか一項に記載の情報処理装置。
【請求項５】
前記混雑判定部は、前記通常歩行時のピッチ及び振幅の２次元の分布と前記取得部により取得されたピッチ及び振幅との差異に基づいて混雑度を判定する、請求項４に記載の情報処理装置。
【請求項６】
前記混雑判定部は、前記取得部により取得されたピッチと前記通常歩行時のピッチとの差異量、及び前記取得部により取得された振幅と前記通常歩行時の振幅との差異量、に基づいて、混雑度を判定する、請求項４に記載の情報処理装置。
【請求項７】
前記取得部は、鉛直方向の揺れ検出データから歩行のピッチを取得する、請求項１〜６のいずれか一項に記載の情報処理装置。
【請求項８】
前記混雑判定部は、周囲のユーザの混雑度に基づいて値が調整された閾値を用いて混雑度を判定する、請求項１〜７のいずれか一項に記載の情報処理装置。
【請求項９】
前記混雑判定部の判定した混雑度に基づいてコンテンツを選択する選択部と、
前記選択部により選択されたコンテンツを提供するコンテンツ提供部と、
をさらに備える、請求項１〜８のいずれか一項に記載の情報処理装置。
【請求項１０】
前記選択部は、前記混雑判定部の判定した混雑度に基づいてユーザにコンテンツを提供する頻度を変更する、請求項９に記載の情報処理装置。
【請求項１１】
前記選択部は、前記混雑判定部により混雑状態であると判定されたとき、ユーザにコンテンツを提供する頻度を高める、請求項１０に記載の情報処理装置。
【請求項１２】
前記混雑度判定部により混雑度が高いと判定されたときに、前記選択部は、ユーザのストレスを軽減する効果のあるコンテンツを選択する、請求項９または１０に記載の情報処理装置。
【請求項１３】
現在の位置情報を取得する位置情報取得部、
をさらに備え、
前記選択部は、さらに前記現在の位置情報に基づいてコンテンツを選択する、請求項９〜１２のいずれか一項に記載の情報処理装置。
【請求項１４】
前記選択部は、前記現在の位置情報に基づいて、ユーザが並んでいる行列の先にある店舗に関するコンテンツを選択する、請求項１３に記載の情報処理装置。
【請求項１５】
複数の端末装置により取得された揺れ検出データから検出される歩行のピッチと、過去の揺れ検出データに基づいて算出された通常歩行時のピッチと、の差異に基づいて混雑状態であると判定されたユーザの位置情報を取得する取得部と、
前記取得部により取得された位置情報を地図上に重畳した混雑度マップを生成する混雑度マップ生成部と、
を備える、混雑度マップ生成装置。
【請求項１６】
揺れ検出データから歩行のピッチを取得することと、
取得された前記ピッチと、過去の揺れ検出データに基づいて算出された通常歩行時のピッチと、の差異に基づいて混雑度を判定することと、
を含む、情報処理方法。
【請求項１７】
コンピュータを、
揺れ検出データから歩行のピッチを取得する取得部と、
前記取得部により取得されたピッチと、過去の揺れ検出データに基づいて算出された通常歩行時のピッチと、の差異に基づいて混雑度を判定する混雑判定部と、
を備える、情報処理装置として機能させるためのプログラム。
【請求項１８】
コンピュータを、
揺れ検出データから歩行のピッチを取得する取得部と、
前記取得部により取得されたピッチと、過去の揺れ検出データに基づいて算出された通常歩行時のピッチと、の差異に基づいて混雑度を判定する混雑判定部と、
を備える、情報処理装置として機能させるためのプログラムを記録した、コンピュータに読取り可能な記録媒体。
【手続補正２】
【補正対象書類名】明細書
【補正対象項目名】００２９
【補正方法】変更
【補正の内容】
【００２９】
また、コンテンツ提供部１１３は、端末装置１００ａの現在の位置情報に基づいて選択されたコンテンツをユーザに提供してもよい。コンテンツ提供部１１３は、混雑判定部１０７により混雑状態であると判定された場合に、現在位置の周辺に関するコンテンツをユーザに提供してもよい。例えば、現在の位置情報により端末装置１００ａが渋谷に位置することが検知されると、コンテンツ提供部１１３は、渋谷に関連するコンテンツをユーザに提供してもよい。或いは、コンテンツ提供部１１３は、現在の位置情報によりユーザが並んでいる行列の先にある店舗が判別できた場合には、当該店舗に関する情報を提供してもよい。
【手続補正３】
【補正対象書類名】明細書
【補正対象項目名】００３２
【補正方法】変更
【補正の内容】
【００３２】
ＧＰＳアンテナ２２１は、ＧＰＳ衛星からの信号を受信するアンテナの一例である。ＧＰＳアンテナ２２１は、複数のＧＰＳ衛星からのＧＰＳ信号を受信することができ、受信したＧＰＳ信号をＧＰＳ処理部２２３に入力する。
【手続補正４】
【補正対象書類名】明細書
【補正対象項目名】００３３
【補正方法】変更
【補正の内容】
【００３３】
ＧＰＳ処理部２２３は、ＧＰＳ衛星から受信された信号に基づいて位置情報を算出する機能を有する。ＧＰＳ処理部２２３は、ＧＰＳアンテナ２２１から入力された複数のＧＰＳ信号に基づいて当該端末装置１００の現在の位置情報を算出し、算出した位置情報を出力する。具体的には、ＧＰＳ処理部２２３は、ＧＰＳ衛星の軌道データから各ＧＰＳ衛星の位置を算出し、ＧＰＳ信号の送信時刻と受信時刻との差分時間に基づいて、各ＧＰＳ衛星から当該端末装置１００の距離をそれぞれ算出する。そして、算出された各ＧＰＳ衛星の位置と、各ＧＰＳ衛星から当該端末装置１００までの距離とに基づいて、現在の３次元位置を算出する。ここで、ＧＰＳ衛星の軌道データは、ＧＰＳ信号に含まれていてもよい。或いは、ＧＰＳ衛星の軌道データは、通信部を介して外部のサーバから取得するデータであってもよい。
【手続補正５】
【補正対象書類名】明細書
【補正対象項目名】００６６
【補正方法】変更
【補正の内容】
【００６６】
また、図１０〜図１２を参照すると、ジャイロセンサを用いて検出された揺れ検出データについて、端末装置１００を腰に設置した場合、端末装置１００をポケットに入れて持ち歩いた場合、そして端末装置１００を手持ちで持ち歩いた場合の揺れ検出データが示される。図１０〜図１２から、ジャイロセンサを用いて検出された揺れ検出データは、端末装置１００の持ち歩き方により振幅が大きく変動する。このため、混雑判定部１０７は、ジャイロセンサを用いて検出された揺れ検出データに基づいて混雑判定を行う場合には、揺れ検出データの振幅は用いずに、ピッチを用いて混雑判定を行うことが望ましい。また、ジャイロセンサを用いて検出された揺れ検出データのうちｙａｗ角を示す揺れ検出データは、比較的端末装置１００の持ち方に影響されにくく、ユーザの歩行ピッチの影響が反映されやすい（２歩で１周期）ため、混雑判定部１０７は、ｙａｗ角を示す揺れ検出データのピッチの値に基づいて混雑判定することが好ましい。
【手続補正６】
【補正対象書類名】明細書
【補正対象項目名】０１０６
【補正方法】変更
【補正の内容】
【０１０６】
混雑度マップ生成サーバ２００ｃは、送受信部２０１と、計測部２０３と、通常歩行学習部２０５と、混雑判定部２０７と、記憶部２０９と、混雑度マップ生成部２１１とを主に有する。